【手続補正書】
【提出日】平成21年8月13日(2009.8.13)
【手続補正１】
【補正対象書類名】特許請求の範囲
【補正対象項目名】全文
【補正方法】変更
【補正の内容】
【特許請求の範囲】
【請求項１】
液晶ディスプレイにおける重合配向処理のための液晶（ＬＣ）媒体であって：
少なくとも一組の液晶（ＬＣ）分子；
少なくとも一組の反応性単量体；及び、
該反応性単量体の０．０１〜１％ｗｔという範囲の濃度で阻害剤を少なくとも１つ含み、該阻害剤が、化学式（１）の化合物：
【化１】
2009064020.tif 000001
を少なくとも１つ含む、ＬＣ媒体。
【請求項２】
前記反応性単量体が、光重合が可能な反応性単量体、又は、熱重合が可能な反応性単量体である、請求項１に記載のＬＣ媒体。
【請求項３】
前記反応性単量体が、化学式（２）又は（３）の化合物：
【化２】
2009064020.tif 000002
【化３】
2009064020.tif 000003
を含む、請求項２に記載のＬＣ媒体。
【請求項４】
Ｐ１が、独立して、重合可能な基である、請求項３に記載のＬＣ媒体。
【請求項５】
Ｐ１が、独立して、アクリレート又はメタクリレートを含む、請求項４に記載のＬＣ媒体。
【請求項６】
ＳＰ１が、独立して、スペーサ基又は１つの基である、請求項３に記載のＬＣ媒体。
【請求項７】
Ｘ１が、独立して、−Ｏ−、−Ｓ−、−ＯＣＨ２−、−ＣＯ−、−ＣＯＯ−、−ＯＣＯ−、−ＣＯ−Ｎ０Ｒ−、−Ｎ０Ｒ−ＣＯ−、−ＯＣＨ２−、−ＳＣＨ２−、−ＣＨ２Ｓ−、−ＣＨ＝ＣＨ−ＣＯＯ−、−ＯＣＣ−ＣＨ＝ＣＨ−、又は、一重結合である、請求項３に記載のＬＣ媒体。
【請求項８】
Ｌｍが、独立して、Ｆ、Ｃｌ、ＣＮ、１から７個の炭素原子を有するアルキル基、１から７個の炭素原子を有するアルキルカルボニル基、１から７個の炭素原子を有するアルコキシカルボニル基、又は、１から７個の炭素原子を有するアルキルカルボニロキシ基であり、さらに、ｍ≧１である、請求項３に記載のＬＣ媒体。
【請求項９】
Ｌｍが、１から７個の炭素原子を有するアルキル基、１から７個の炭素原子を有するアルキルカルボニル基、１から７個の炭素原子を有するアルコキシカルボニル基、又は、１から７個の炭素原子を有するアルキルカルボニロキシ基である場合、１又は複数のその水素原子は、フッ素原子又は塩素原子と置換可能である、請求項８に記載のＬＣ媒体。
【請求項１０】
Ｒが、独立して、−Ｈ、−Ｆ、−Ｃｌ、−ＣＮ、−ＳＣＮ、−ＳＦ５Ｈ、−ＮＯ２、１から１２個の炭素原子を有する一重結合、１から１２個の炭素原子を有する分岐鎖のアルキル基、又は、−Ｘ２−Ｓｐ２−Ｐ２であり：
Ｘ２が、独立して、−Ｏ−、−Ｓ−、−ＯＣＨ２−、−ＣＯ−、−ＣＯＯ−、−ＯＣＯ−、−ＣＯ−Ｎ０Ｒ−、−Ｎ０Ｒ−ＣＯ−、−ＳＣＨ２−、−ＣＨ２Ｓ−、−ＣＨ＝ＣＨ−ＣＯＯ−、−ＯＯＣ−ＣＨ＝ＣＨ−又は一重結合であり；
Ｓｐ２が、独立して、スペーサ基又は１つの基であり；さらに、
Ｐ２が、独立して、重合可能な基である；
請求項３に記載のＬＣ媒体。
【請求項１１】
前記ＬＣ分子が、化学式（４）、（５）、（６）、又は（７）の化合物：
【化４】
2009064020.tif 000004
【化５】
2009064020.tif 000005
【化６】
2009064020.tif 000006
【化７】
2009064020.tif 000007
を含み、
Ｒ１、Ｒ２、Ｒ３、Ｒ４、及び、Ｒ６が、独立して、１から１２個の炭素原子を有するアルキル基であり、酸素原子が互いに直接結合しないように、前記アルキル基のうち１又は２の隣接していないＣＨ２基を、−Ｏ−、−ＣＨ＝ＣＨ−、−ＣＯ−、−ＯＣＯ−、又は、−ＣＯＯ−と置換することができ；
Ｒ５が、２から８個の炭素原子を有するアルケニル基であり；
ｄが０又は１であり；
【化８】
2009064020.tif 000008
である、請求項１に記載のＬＣ媒体。
【請求項１２】
少なくとも１つの開始剤をさらに含む、請求項１に記載のＬＣ媒体。
【請求項１３】
液晶ディスプレイ（ＬＣＤ）の製造方法であって：
上側基板及び下側基板を提供するステップ；
前記上側基板と前記下側基板との間にシール剤を形成するステップ；
前記上側基板と前記下側基板との間にＬＣ媒体を充填するステップ；並びに、
重合配向処理を行うステップ；
を含み、
前記ＬＣ媒体が：
少なくとも一組のＬＣ分子；
少なくとも一組の反応性単量体；及び、
該反応性単量体の０．０１〜１％ｗｔという範囲の濃度で阻害剤を少なくとも１つ含み、該阻害剤が、化学式（９）の化合物：
【化９】
2009064020.tif 000009
を少なくとも１つ含む、方法。
【請求項１４】
前記ＬＣ媒体が、液晶注入処理又は液晶滴下（ＯＤＦ）処理により、前記上側基板と前記下側基板との間に充填される、請求項１３に記載の方法。
【請求項１５】
前記ＬＣ媒体が前記上側基板と前記下側基板との間に充填された後、シール剤硬化処理を行うステップをさらに含む、請求項１４に記載の方法。
【請求項１６】
前記シール剤硬化処理中に前記反応性単量体が重合されるのを妨げるために、前記阻害剤が消費される、請求項１４に記載の方法。
【請求項１７】
前記重合配向処理において前記ＬＣ分子に所定の角度を持たせるよう電圧が印加される、請求項１３に記載の方法。
【請求項１８】
前記重合配向処理において、前記ＬＣ分子の前記所定の角度に沿って前記反応性単量体を重合させるために、さらに、前記ＬＣ分子にプレチルト角を持たせるために、光が前記ＬＣＤに加えられる、請求項１７に記載の方法。
【請求項１９】
前記重合配向処理に使用される前記光のエネルギーが調節可能である、請求項１８に記載の方法。
【請求項２０】
前記光のエネルギーが、前記光の光強度を調節することにより、又は、前記光が前記ＬＣＤに加えられる時間を調節することにより調節される、請求項１９に記載の方法。
【請求項２１】
前記反応性単量体が、光重合が可能な反応性単量体、又は、熱重合が可能な反応性単量体である、請求項１３に記載の方法。
【請求項２２】
前記反応性単量体が、化学式（１０）又は（１１）の化合物：
【化１０】
2009064020.tif 000010
【化１１】
2009064020.tif 000011
を含み、
Ｐ１が、独立して、アクリレート又はメタクリレートを含めた重合可能な基であり；
ＳＰ１が、独立して、スペーサ基又は１つの基であり；
Ｘ１が、独立して、−Ｏ−、−Ｓ−、−ＯＣＨ２−、−ＣＯ−、−ＣＯＯ−、−ＯＣＯ−、−ＣＯ−Ｎ０Ｒ−、−Ｎ０Ｒ−ＣＯ−、−ＯＣＨ２−、−ＳＣＨ２−、−ＣＨ２Ｓ−、−ＣＨ＝ＣＨ−ＣＯＯ−、−ＯＣＣ−ＣＨ＝ＣＨ−、又は、一重結合であり；
Ｌｍが、独立して、Ｆ、Ｃｌ、ＣＮ、１から７個の炭素原子を有するアルキル基、１から７個の炭素原子を有するアルキルカルボニル基、１から７個の炭素原子を有するアルコキシカルボニル基、又は、１から７個の炭素原子を有するアルキルカルボニロキシ基であり、さらに、ｍ≧１であり；さらに、
Ｌｍが、１から７個の炭素原子を有するアルキル基、１から７個の炭素原子を有するアルキルカルボニル基、１から７個の炭素原子を有するアルコキシカルボニル基、又は、１から７個の炭素原子を有するアルキルカルボニロキシ基である場合、１又は複数のその水素原子は、フッ素原子又は塩素原子と置換可能である；
請求項２１に記載の方法。
【請求項２３】
Ｒが、独立して、−Ｈ、−Ｆ、−Ｃｌ、−ＣＮ、−ＳＣＮ、−ＳＦ５Ｈ、−ＮＯ２、１から１２個の炭素原子を有する一重結合、１から１２個の炭素原子を有する分岐鎖のアルキル基、又は、−Ｘ２−Ｓｐ２−Ｐ２であり：
Ｘ２が、独立して、−Ｏ−、−Ｓ−、−ＯＣＨ２−、−ＣＯ−、−ＣＯＯ−、−ＯＣＯ−、−ＣＯ−Ｎ０Ｒ−、−Ｎ０Ｒ−ＣＯ−、−ＳＣＨ２−、−ＣＨ２Ｓ−、−ＣＨ＝ＣＨ−ＣＯＯ−、−ＯＯＣ−ＣＨ＝ＣＨ−又は一重結合であり；
Ｓｐ２が、独立して、スペーサ基又は１つの基であり；さらに、
Ｐ２が、独立して、重合可能な基である；
請求項２２に記載の方法。
【請求項２４】
前記ＬＣ分子が、化学式（１２）、（１３）、（１４）、又は（１５）の化合物：
【化１２】
2009064020.tif 000012
【化１３】
2009064020.tif 000013
【化１４】
2009064020.tif 000014
【化１５】
2009064020.tif 000015
を含み、
Ｒ１、Ｒ２、Ｒ３、Ｒ４、及び、Ｒ６が、独立して、１から１２個の炭素原子を有するアルキル基であり、酸素原子が互いに直接結合しないように、前記アルキル基のうち１又は２の隣接していないＣＨ２基を、−Ｏ−、−ＣＨ＝ＣＨ−、−ＣＯ−、−ＯＣＯ−、又は、−ＣＯＯ−と置換することができ；
Ｒ５が、２から８個の炭素原子を有するアルケニル基であり；
ｄが０又は１であり；
【化１６】
2009064020.tif 000016
である、請求項１３に記載の方法。
【請求項２５】
前記ＬＣ媒体が、少なくとも１つの開始剤をさらに含む、請求項１３に記載の方法。
【手続補正２】
【補正対象書類名】明細書
【補正対象項目名】００１６
【補正方法】変更
【補正の内容】
【００１６】
【化１９】
2009064020.tif 000017
化学式（１８）及び（１９）のＰ１は、独立して、アクリレート又はメタクリレート等の重合可能な基である。ＳＰ１は、独立して、スペーサ基又は１つの基である。Ｘ１は、独立して、−Ｏ−、−Ｓ−、−ＯＣＨ２−、−ＣＯ−、−ＣＯＯ−、−ＯＣＯ−、−ＣＯ−Ｎ０Ｒ−、−Ｎ０Ｒ−ＣＯ−、−ＯＣＨ２−、−ＳＣＨ２−、−ＣＨ２Ｓ−、−ＣＨ＝ＣＨ−ＣＯＯ−、−ＯＣＣ−ＣＨ＝ＣＨ−、又は、一重結合である。Ｌｍは、独立して、Ｆ、Ｃｌ、ＣＮ、１から７個の炭素原子を有するアルキル基、１から７個の炭素原子を有するアルキルカルボニル基、１から７個の炭素原子を有するアルコキシカルボニル基、又は、１から７個の炭素原子を有するアルキルカルボニロキシ基であり、さらに、ｍ≧１である。Ｌｍが、１から７個の炭素原子を有するアルキル基、１から７個の炭素原子を有するアルキルカルボニル基、１から７個の炭素原子を有するアルコキシカルボニル基、又は、１から７個の炭素原子を有するアルキルカルボニロキシ基である場合、１又は複数のその水素原子は、フッ素原子又は塩素原子と置換可能である。Ｒは、独立して、−Ｈ、−Ｆ、−Ｃｌ、−ＣＮ、−ＳＣＮ、−ＳＦ５Ｈ、−ＮＯ２、１から１２個の炭素原子を有する一重結合、１から１２個の炭素原子を有する分岐鎖のアルキル基、又は、−Ｘ２−Ｓｐ２−Ｐ２である。Ｘ２は、独立して、−Ｏ−、−Ｓ−、−ＯＣＨ２−、−ＣＯ−、−ＣＯＯ−、−ＯＣＯ−、−ＣＯ−Ｎ０Ｒ−、−Ｎ０Ｒ−ＣＯ−、−ＳＣＨ２−、−ＣＨ２Ｓ−、−ＣＨ＝ＣＨ−ＣＯＯ−、−ＯＯＣ−ＣＨ＝ＣＨ−又は一重結合であり、Ｓｐ２は、独立して、スペーサ基又は１つの基である。Ｐ２は、独立して、アクリレート又はメタクリレート等の重合可能な基である。Ｒが−Ｘ２−Ｓｐ２−Ｐ２である場合、Ｘ２はＸ１と一致し、Ｓｐ２はＳｐ１と一致し、さらに、Ｐ２はＰ１と一致することがわかる。